【手続補正書】
【提出日】平成24年1月17日(2012.1.17)
【手続補正１】
【補正対象書類名】特許請求の範囲
【補正対象項目名】全文
【補正方法】変更
【補正の内容】
【特許請求の範囲】
【請求項１】
相当量の表面水が、上方に向かって対向する側面間で一定の長さを有する地表開口部とつながっている地下換気ダクトへ流れ込むのを防止する装置であって、
当該装置は、前記地表面開口部と流体のやり取りを行うための上部開口部を有する支持体、支持床、及び前記換気ダクトの隣接部と流体のやり取りを行うために設けられている、前記支持床よりも高い位置に設けられる前記支持体の下部内の開口部を有し、
前記支持体は、シートと、該シートへ向かって上方に回転するように設けられている前記シートと対をなす水浮遊性ゲートとを有する組を1組以上支持し、
前記組の各々は、前記下部開口部から前記地表面開口部への空気流を供するように前記支持体中に備えられ、
前記空気流は、当該装置が存在しない状態での、前記換気ダクトから前前記地表面開口部への空気流のある公称割合であり、
前記公称割合は、分子が1で、かつ分母は1に前記組の数を加えた値であり、
少なくとも1つの組の前記シートは前記対向する側面のうちの1つから、前記一定の長さに前記割合を乗じた値に名目上等しい距離だけ離れた状態で、前記上部開口部の下に設けられ、
前記浮遊性ゲートは、前記一定の長さに前記割合を乗じた値と名目上等しいシートが合わせられる高さを有し、前記シートよりも低い位置に設けられ、かつ前記シートに合わせられ、かつ前記シートの下の空気流の流路が阻止されるまで、上方へ向かって浮くことによって、前記支持構造内での水の上昇に応答する、
装置。
【請求項２】
複数の間隔をあけて垂直方向にアレイを構成する組が存在し、かつ
組の各シートは、前記対向する側面のうちの1つから、前記一定の長さに前記割合を乗じた値と名目上等しい距離だけ離れている、
請求項1に記載の装置。
【請求項３】
複数の垂直方向にアレイを構成する組が存在し、
高い位置にある組の各々は、該高い位置にある組の下に位置する次の組から水平方向で、前記下部開口部へ向かうように水平にオフセット補正され、
最上部のシートは、前記対向する側面のうちの1つから、前記一定の長さに前記割合を乗じた値と名目上等しい距離だけ離れ、
次の下に位置する組の各シートは、前記対向する側面のうちの1つから、前記一定の長さに、1と前記次の下に位置する組の上に位置する組の数とを加えた数を乗じて、さらに前記割合を乗じた値と名目上等しい距離だけ離れ、かつ
前記浮遊性ゲートは、前記最上部の組について、前記一定の長さに前記割合を乗じた値と名目上等しいシートが合わせられる高さを有する、
請求項1に記載の装置。
【請求項４】
前記1組以上の組は、垂直に設けられたシート及び対をなす通常は垂直に設けられた浮遊性ゲートを有する、請求項1に記載の装置。
【請求項５】
相当量の表面水が、上方に向かって対向する側面間で一定の長さを有する地表開口部とつながっている地下換気ダクトへ流れ込むのを防止する装置であって、
当該装置は、前記地表面開口部と流体のやり取りを行うための上部開口部を有する支持体、支持床、及び前記換気ダクトの隣接部と流体のやり取りを行うために設けられている、前記支持床よりも高い位置で、かつ前記上部開口部よりも低い位置に設けられる前記支持体の下部内の下部開口部を有し、
前記支持体は、垂直に設けられたシートと、対をなす水浮遊性ゲートとを有する組を1組以上支持し、
前記シートは、上方で、前記組内に存在する、前記の換気ダクトに隣接するシートの側で、前記下部開口部を介して前記換気ダクトと流体をやり取りする少なくとも1つの隣接する流路部を画定し、かつ前記シートの対向する側で、前記支持体の上部開口部と流体をやり取りする前記下部開口部から離れた、少なくとも1つの離れた流路部を画定し、
前記浮遊性ゲートは、枢動マウントを有し、前記の組内のシートよりも低い位置に設けられ、通常は水平に設けられ、前記隣接する流路部を阻止するのに十分なサイズで、かつ
前記枢動マウントに対して離れた前記ゲートの少なくとも端部上に前記シートを合わせるまで、浮くように上方へ枢動することにより前記支持体内での水の上昇に応答することで、前記隣接流路部が阻止される、
装置。
【請求項６】
前記表面開口部が、該開口部の対向する面間で一定の長さを有し、
前記組の各々は、前記下部開口部から前記地表面開口部への空気流を供するように前記支持体中に備えられ、
前記空気流は、当該装置が存在しない状態での、前記換気ダクトから前前記地表面開口部への空気流のある公称割合であり、
前記公称割合は、分子が1で、かつ分母は1に前記組の数を加えた値であり、
少なくとも1つの組の前記シートは前記対向する側面のうちの1つから、前記一定の長さに前記割合を乗じた値に名目上等しい水平距離だけ離れた状態で、前記上部開口部の下に設けられ、
前記浮遊性ゲートは、前記一定の長さに前記割合を乗じた値と名目上等しいシートが合わせられる高さを有する、
請求項5に記載の装置。
【請求項７】
前記支持体内部に傾斜面を有する請求項5に記載の装置であって、
前記傾斜面は、前記シートから遠ざかる方向に傾斜することで、前記上部開口部を介して導入される水を前記下部開口部から遠ざかるように流す、
装置。
【請求項８】
前記支持体は棚を支持し、かつ
該棚の少なくとも一部は、前記上部開口部の少なくとも一部を介して導入されて前記棚全体にわたる水から前記下部を遮断するため、前記上部開口部の少なくとも一部の下で、かつ前記下部開口部の上に位置する、
請求項5に記載の装置。
【請求項９】
前記支持体内部に傾斜面を有する請求項8に記載の装置であって、
前記傾斜面は、前記垂直シートから遠ざかる方向に傾斜することで、前記上部開口部の少なくとも一部を介して前記棚全体にわたって導入される水を前記下部開口部から遠ざかるように流す、
装置。
【請求項１０】
前記傾斜面が前記棚の一部を有する、請求項9に記載の装置。
【請求項１１】
前記棚が、前記傾斜部へ流れ込む溝部分を有する、請求項10に記載の装置。
【請求項１２】
前記支持体内で垂直に配置された複数の前記組を有する、請求項5に記載の装置。
【請求項１３】
前記組の各々は、前記下部開口部から前記地表面開口部への空気流を供するように前記支持体中に備えられ、
前記空気流は、当該装置が存在しない状態での、前記換気ダクトから前前記地表面開口部への空気流のある公称割合であり、
前記公称割合は、分子が1で、かつ分母は1に前記組の数を加えた値であり、
少なくとも1つの組の前記シートは前記対向する側面のうちの1つから、前記一定の長さに前記割合を乗じた値に名目上等しい水平距離だけ離れた状態で、前記上部開口部の下に設けられ、
前記浮遊性ゲートは、前記一定の長さに前記割合を乗じた値と名目上等しいシートが合わせられる高さを有する、
請求項12に記載の装置。
【請求項１４】
高い位置にある組の各々は、該高い位置にある組の下に位置する次の組から水平方向で、前記下部開口部へ向かうように水平にオフセット補正される、請求項12に記載の装置。
【請求項１５】
最上部のシートは、前記対向する側面のうちの1つから、前記一定の長さに前記割合を乗じた値と名目上等しい距離だけ離れ、
次の下に位置する組の各シートは、前記対向する側面のうちの1つから、前記一定の長さに、1と前記次の下に位置する組の上に位置する組の数とを加えた数を乗じて、さらに前記割合を乗じた値と名目上等しい距離だけ離れ、かつ
前記浮遊性ゲートは、前記最上部の組について、前記一定の長さに前記割合を乗じた値と名目上等しいシートが合わせられる高さを有する、
請求項14に記載の装置。
【請求項１６】
前記支持体が囲まれた領域を有する、請求項5に記載の装置。
【請求項１７】
前記囲まれた領域が、側壁、該側壁間に設けられた対向する第1と第2の端部壁、及び床を有し、
前記第2の端部壁は前記床よりも高い位置で終端することで、前記下部開口部を形成し、
前記壁及び床は、ある組のゲートがある組のシートと合わせられるときに、一つとなって水を保持し、
当該装置は、前記チャンバ内で上昇する水がどの組のシート上のゲートでも閉められない限り、前記上部開口部と前記換気ダクトとの間での換気を許容する、
請求項16に記載の装置。
【請求項１８】
前記支持体は棚を支持し、かつ
該棚の少なくとも一部は、前記上部開口部の少なくとも一部を介して導入されて前記棚全体にわたる水から前記下部を遮断するため、前記上部開口部の少なくとも一部の下で、かつ前記下部開口部の上に位置する、
請求項17に記載の装置。
【請求項１９】
傾斜面を有する請求項17に記載の装置であって、
前記傾斜面は、前記垂直シートから遠ざかる方向に傾斜することで、前記上部開口部の少なくとも一部を介して前記棚全体にわたって導入される水を前記下部開口部から遠ざかるように流す、
装置。
【請求項２０】
前記棚が、前記傾斜部へ流れ込む溝部分を有する、請求項19に記載の装置。
【請求項２１】
前記支持体内に垂直に配置された複数の前記組を有する、請求項17に記載の装置。
【請求項２２】
前記組の各々は、前記下部開口部から前記地表面開口部への空気流を供するように前記支持体中に備えられ、
前記空気流は、当該装置が存在しない状態での、前記換気ダクトから前前記地表面開口部への空気流のある公称割合であり、
前記公称割合は、分子が1で、かつ分母は1に前記組の数を加えた値であり、
少なくとも1つの組の前記シートは前記対向する側面のうちの1つから、前記一定の長さに前記割合を乗じた値に名目上等しい水平距離だけ離れた状態で、前記上部開口部の下に設けられ、
前記浮遊性ゲートは、前記一定の長さに前記割合を乗じた値と名目上等しいシートが合わせられる高さを有する、
請求項21に記載の装置。
【請求項２３】
高い位置にある組の各々は、該高い位置にある組の下に位置する次の組から水平方向で、前記下部開口部へ向かうように水平にオフセット補正される、請求項21に記載の装置。
【請求項２４】
最上部のシートは、前記対向する側面のうちの1つから、前記一定の長さに前記割合を乗じた値と名目上等しい距離だけ離れ、
次の下に位置する組の各シートは、前記対向する側面のうちの1つから、前記一定の長さに、1と前記次の下に位置する組の上に位置する組の数とを加えた数を乗じて、さらに前記割合を乗じた値と名目上等しい距離だけ離れ、かつ
前記浮遊性ゲートは、前記最上部の組について、前記一定の長さに前記割合を乗じた値と名目上等しいシートが合わせられる高さを有する、
請求項23に記載の装置。
【請求項２５】
次の低い組のシートが、次の高い組のゲートの支持部分上に形成され、かつ
前記次の高い組のゲートは、該次の高い組の枢動マウントから離れている、
請求項23に記載の装置。
【請求項２６】
前記囲まれた領域が、前記地表面開口部内部で適合するように備えられている、請求項16に記載の装置。
【請求項２７】
相当量の表面水が、上方に向かって対向する側面間で一定の長さを有する地表開口部とつながっている地下換気ダクトへ流れ込むのを防止する装置であって、
当該装置は、床、上部開口部、対向する側壁、及び該側壁間に設けられた対向する第1と第2の端部壁を有し、
前記第2の端部壁は前記床よりも高い位置で終端することで、前記下部開口部を形成し、
前記壁及び床は一つとなり、
前記囲まれた領域は前記地表面開口部内部で適合するように備えられ、
前記の下部の開口部は、前記換気ダクトの隣接部の換気が行えるように設けられ、
前記囲まれた領域は：
複数の対をなすシートと浮遊性ゲートの組であって、
各シートは該シートの下に位置する流路の一部分に対して垂直に設けられ、前記流路は前記上部及び前記下部開口部と流体をやり取りするために設けられ、
各浮遊性ゲートは、枢動マウントを有し、前記の組の一部であるシートよりも低い位置に設けられ、通常は水平に設けられ、前記隣接する流路部を阻止するのに十分なサイズで、かつ前記枢動マウントに対して離れた前記ゲートの少なくとも端部上に前記シートを合わせるまで、浮くように上方へ枢動することにより前記支持体内での水の上昇に応答することで、前記隣接流路部が阻止される、
組；
前記下部開口部の上で、かつ前記上部開口部の一部の下に位置する溝；並びに、
前記上部開口部を介して受け取られる水を前記溝に流し込む傾斜面であって、前記傾斜面は、水を前記下部開口部から離れる方向に傾斜する、傾斜面；
を支持する、
装置。
【請求項２８】
前記支持体内で垂直に配置される複数の前記組を有する、請求項27に記載の装置。
【請求項２９】
高い位置にある組の各々は、該高い位置にある組の下に位置する次の組から水平方向で、前記下部開口部へ向かうように水平にオフセット補正される、請求項28に記載の装置。
【請求項３０】
次の低い組のシートが高い組のゲートの支持部上に形成され、前記高い組のゲートは該高い組の枢動マウントに対して離れている、請求項29に記載の装置。
【請求項３１】
相当量の表面水が、上方に向かって対向する側面間で一定の長さを有する地表開口部とつながっている地下換気ダクトへ流れ込むのを防止する方法であって、
当該方法は：
前記地表開口部と前記換気ダクトとの間に囲まれた領域を設ける工程であって、前記囲まれた領域には、前記換気ダクトの隣接部分と前記囲まれた領域を介して換気するようにつながるため、地表面開口部と前記囲まれた領域の下部内の開口部が流体をやり取りするように、上方へ向かう開口部が設けられている、工程；並びに、
前記囲まれた領域内に、シートと浮遊性ゲートの組を少なくとも1組供する工程であって、各シートは流路の水平部分に対して垂直に設けられ、前記流路は前記シートの下に位置し、前記水平部分の下で、前記上部開口部及び前記換気ダクトの隣接部分と流体をやり取りし、各浮遊性ゲートは、枢動マウントを有し、前記シートと前記流路よりも低い位置に設けられ、通常は水平に設けられ、前記流路を阻止するのに十分なサイズで、かつ少なくとも前記枢動マウントに対して離れた位置にある前記浮遊性ゲートの端部上に前記シートが垂直に合わせられるまで、浮かせながら上方に枢動させて、前記流路を阻止することによって、前記囲まれた領域内で上昇する水に応答し、ある組のゲートが前記組のシートに合わせられるとき、前記囲まれた領域は水を保持し、前記囲まれた領域内で上昇する水がどの組でも前記シート上の前記ゲートを閉じない限り、前記囲まれた領域は前記上部開口部と前記下記ダクトとの間での換気を許容する、工程；
を有する方法。
【請求項３２】
前記囲まれた領域の下部内の開口部を、前記囲まれた領域の上方へ向かう開口部の少なくとも一部を介して入り込んで、前記囲まれた領域の下部全体にわたる水から遮断する工程をさらに有する、請求項31に記載の方法。
【請求項３３】
前記上方へ向かう開口部から前記囲まれた領域へ入り込む水の流れを、前記囲まれた領域の下部内の開口部から遠ざかるように案内する工程を有する、請求項31に記載の方法。
【請求項３４】
換気ダクトと該換気ダクトの地表面開口部との間であって地下換気ダクトシステム内に設けられた支持構造を介する空気流に制約を課さないことで、前記換気ダクトへの相当量の表面水が下方へ流れるのを防止する方法であって、
前記支持構造は、前記地表開口部と流体をやり取りする上部開口部、支持フロア、及び前記換気ダクトの隣接部分と流体をやり取りするために前記支持フロアよりも高い位置にある前記支持構造の下部内の開口部を有し、
前記地表面開口部は前記開口部の選ばれた対向面間で一定の長さを有し、
当該方法は：
前記構造中に1つ以上の組を供する工程であって、前記組の各々はシートと該シートに対して通常は垂直に設けられた対をなす水浮遊性ゲートを有する、工程；並びに、
前記組の各々を前記支持構造内に配置することで、前記下部開口部から前記地表面開口部への空気流を供する工程であって、前記空気流は、当該装置が存在しない状態での、前記換気ダクトから前前記地表面開口部への空気流のある公称割合であり、前記公称割合は、分子が1で、かつ分母は1に前記組の数を加えた値であり、少なくとも1つの組の前記シートは前記対向する側面のうちの1つから、ある距離だけ離れた状態で、前記上部開口部の下に設けられ、前記距離は前記一定の長さに前記割合を乗じた値に名目上等しく、ある組の前記浮遊性ゲートは、前記一定の長さに前記割合を乗じた値と名目上等しいシートが合わせられる高さを有し、前記シートよりも低い位置に設けられ、かつ前記シートに合わせられ、かつ前記シートの下の空気流の流路が阻止されるまで、上方へ向かって浮くことによって、前記支持構造内での水の上昇に応答する、工程；
を有する方法。
【請求項３５】
間隔をあけて垂直方向にアレイを構成する複数の組が存在し、かつ
組の各シートは、前記対向する側面のうちの1つから、前記一定の長さに前記割合を乗じた値と名目上等しい距離だけ離れている、
請求項34に記載の方法。
【請求項３６】
複数の垂直方向にアレイを構成する組が存在し、
高い位置にある組の各々は、該高い位置にある組の下に位置する次の組から水平方向で、前記下部開口部へ向かうように水平にオフセット補正され、
最上部のシートは、前記対向する側面のうちの1つから、前記一定の長さに前記割合を乗じた値と名目上等しい距離だけ離れ、
次の下に位置する組の各シートは、前記対向する側面のうちの1つから、前記一定の長さに、1と前記次の下に位置する組の上に位置する組の数とを加えた数を乗じて、さらに前記割合を乗じた値と名目上等しい距離だけ離れ、かつ
前記浮遊性ゲートは、前記最上部の組について、前記一定の長さに前記割合を乗じた値と名目上等しいシートが合わせられる高さを有する、
請求項34に記載の方法。
【請求項３７】
地下から地盤面の高さの床と開口部を有する、地盤面より下の構造物へつながる換気ダクトへ相当量の表面水が流れるのを阻止する装置であって：
前記地盤面高さの開口部より下の前記構造物内部に固定されるように備えられたシート支持体；
前記シート支持体によって垂直に支持されるシートであって、
前記地盤面高さの開口部の下に位置する、前記地盤面高さの開口部と前記換気ダクトとの間で実質的に制約のない空気流の位置にて、前記構造物の下部を横方向に切断するように固定され、
前記構造物内部において、前記シートの一の面上では前記換気ダクトに隣接する部分を画定し、かつ前記シートの他の面上では前記換気ダクトから離れた部分を画定し、
前記換気ダクトに隣接する面及び前記換気ダクトから離れた面とつながる入り口上部を画定する上部内側マージンを有する、
シート；
前記シートに合わせるようなサイズのシート表面を有する浮遊性ゲートであって、
通常は前記入り口よりも低い部分内において前記構造物内部で水平に設けられ、かつ前記シートに対して枢動可動なように設けられ、
前記シートに合わせられるまで動かすために相対的に上方へ浮かせることによって、前記構造物内で上昇する水に応答し、かつ
前記開口部を介して前記構造物へ入り込む水が、前記の水平に配置された入り口を通過するのを妨害する、
水浮遊性ゲート；
を有する装置。
【請求項３８】
前記シートが、前記開口部の対向する側部間での最長距離の方向に沿って半分の位置に設けられ、
前記シートは、前記最長距離の方向に垂直に、前記開口部の下の前記構造物の下部を横方向に切断し、かつ
前記浮遊性ゲートは、前記開口部の対向する側部内の最長距離の半分よりも短い高さを有する、
請求項37に記載の装置。
【請求項３９】
前記換気ダクトに隣接する前記シートの側面上の流路の一部が前記入り口で終端し、
当該装置は前記の隣接する流路部上方に通常は閉じた状態で枢動可能なように設けられている1つ以上のシャッターを有し、
前記浮遊性ゲートが前記シートに合わせられることで前記入り口を阻止するとき、前記シャッター上方での前記構造物内での圧力を超えた、前記流路内での圧力によって、前記シャッターは開放可能となる、
請求項37に記載の装置。
【請求項４０】
前記シート表面が、前記浮遊性ゲートの少なくとも上部周辺に存在し、かつ前記シートと合わせるように設けられ、
前記浮遊性ゲートは、前記シート表面に向かって傾斜する前記シート表面内部の高くなった部分を有し、
前記シート表面は、前記構造物内で上昇する水に対して応答するように、前記入り口上方で前記シートと合わせられ、
前記の高くなった部分の傾斜は、前記浮遊性ゲートが水平位置にあるときには、前記開口部を介して前記構造物へ入り込む水を、前記構造物から遠ざかるように案内するのに有効な傾斜を有する、
請求項37に記載の装置。
【請求項４１】
前記シートの内側マージンが、該マージンによって画定される前記入り口で終端する水平に設けられた流路を取り囲み、
当該装置は前記の隣接する流路部上方に通常は閉じた状態で枢動可能なように設けられている1つ以上のシャッターを有し、
前記浮遊性ゲートが前記シートに合わせられることで前記入り口を阻止するとき、前記シャッター上方での前記構造物内での圧力を超えた、前記流路内での圧力によって、前記シャッターは開放可能となる、
請求項37に記載の装置。
【請求項４２】
前記換気ダクトから離れていて、かつ前記入り口よりも低い位置にある前記シートの面上の前記構造物の下部内で固定された水平避難場所をさらに有する請求項37に記載の装置であって、
前記避難場所は底部を有し、
前記避難場所は、前記底部の上で水平状態をとる前記浮遊性ゲートを有する、
請求項37に記載の装置。
【請求項４３】
前記支持体が、前記可動浮遊性ゲートを枢動可能なように支持する支持フレームを有する、請求項42に記載の装置。
【請求項４４】
前記避難場所は、前記浮遊性ゲートが前記避難場所内で水平状態を占めるときに前記避難場所の底部へのアクセスを与える、前記避難場所への水の入り口を有し、かつ
前記避難場所及び前記浮遊性ゲートは、前記入り口を介して入り込む水が、前記浮遊性ゲート付近にまで上昇し、かつ前記避難場所から前記シートへ向かって上方へ前記浮遊性ゲートを浮遊させることを可能にするように備えられる、
請求項42に記載の装置。
【請求項４５】
前記シートは、前記開口部の対向する側面間での最長距離の方向に沿って半分の位置に設けられ、かつ
前記浮遊性ゲートは。前記開口部の対向する側面間での最長距離の半分よりも短い高さを有する、
請求項42に記載の装置。
【請求項４６】
床と地盤面の高さの開口部を有する地盤面高さよりも低い構造物を換気するようにつながっている換気ダクトへ表面水が流れ込むのを防止する装置であって：
前記構造物内に設けられていて上端と下端を有する支持集合体；
前記上端と下端との間の前記支持集合体に固定され、かつ前記開口部の対向する側面間の最長距離の方向を水平に延在し、
下で前記換気ダクトの出口から、前記方向に沿って、前記開口部と前記換気ダクトとの間での実質的に制約のない空気流に延在する、前記構造物内の水平状態に配置されて、かつ前記開口部の対向する側面間の最長距離の半分に等しい距離だけ延在する流路を画定する、
棚；
前記棚の後方に位置する前記構造の一部分へ入り込む前記の水平状態に配置される流路を画定する、前記の水平状態に配置される流路の周囲の前記棚の後方に存在する前記支持集合体に対して、垂直に設けられているシート；並びに、
前記最長距離の方向に対して垂直な軸の周りで枢動するように設けられ、かつ前記シートに合わせられるまで相対的に上方へ浮かせることによって、前記構造物内で上昇する水に対して応答し、
前記の水平状態に配置される流路を阻止するのに十分なサイズであるので、水が前記換気ダクトひいては前記地下トンネルへの前記水平状態の流路を介して通り抜けるのを防止する、
水中で浮く浮遊性ゲート；
を有する装置。
【請求項４７】
前記棚が、前記浮遊性ゲートが前記シートに合わせられることで前記入り口を阻止するとき、前記シャッター上方での前記構造物内での圧力を超えた、前記流路内での圧力によって開放可能となる1つ以上の通常は閉じている、枢動可能に設けられたシャッターを有する、請求項39に記載の装置。
【請求項４８】
床と地盤面の高さの開口部を有する地盤面高さよりも低い構造物を換気するようにつながっている換気ダクトへ表面水が流れ込むのを防止する方法であって：
前記構造物内に設けられていて上端と下端を有する支持集合体；
前記上端と下端との間の前記支持集合体に固定され、かつ前記開口部の対向する側面間の最長距離の方向を水平に延在し、
下で前記換気ダクトの出口から、前記方向に沿って、前記開口部と前記換気ダクトとの間での実質的に制約のない空気流に延在する、前記構造物内の水平状態に配置されて、かつ前記開口部の対向する側面間の最長距離の半分に等しい距離だけ延在する流路を画定する、
棚；
前記棚の後方に位置する前記構造の一部分へ入り込む前記の水平状態に配置される流路を画定する、前記の水平状態に配置される流路の周囲の前記棚の後方に存在する前記支持集合体に対して、垂直に設けられているシート；並びに、
前記最長距離の方向に対して垂直な軸の周りで枢動するように設けられ、かつ前記シートに合わせられるまで相対的に上方へ浮かせることによって、前記構造物内で上昇する水に対して応答し、
前記の水平状態に配置される流路を阻止するのに十分なサイズであるので、水が前記換気ダクトひいては前記地下トンネルへの前記水平状態の流路を介して通り抜けるのを防止する、
水中で浮く浮遊性ゲート；
を有する方法。
【請求項４９】
前記シート素子は、前記開口部の対向する側面間での最長距離の方向に沿って半分の位置に設けられ、かつ
前記浮遊性ゲートは。前記開口部の対向する側面間での最長距離の半分よりも短い高さを有する、
請求項48に記載の方法。
【請求項５０】
前記ゲートが閉じた位置にあるとき、前記シャッターの上の前記構造物内での流体圧力を超えた前記流路での空気圧によって、開放可能なる前記水平状態に配置された流路の上に1つ以上の通常は閉じている枢動可能な状態に設けられたシャッターを供する工程をさらに有する、請求項48に記載の方法。
【請求項５１】
前記シートと合わせるためのシート表面を、前記浮遊性ゲートの少なくとも上部周辺に供する工程であって、かつ、
前記浮遊性ゲートは、前記シート表面に向かって傾斜する前記シート表面内部の高くなった部分を有し、
前記シート表面は、前記構造物内で上昇する水に対して応答するように、前記入り口上方で前記シートと合わせられ、
前記の高くなった部分の傾斜は、前記浮遊性ゲートが水平位置にあるときには、前記開口部を介して前記構造物へ入り込む水を、前記構造物から遠ざかるように案内するのに有効な傾斜を有する、
請求項48に記載の方法。
【請求項５２】
相当量の表面水が、上方に向かって地表開口部とつながっている地下換気ダクトへ流れ込むのを防止する装置であって：
前記地表開口部と前記換気ダクトとの間に介装された支持体であって、前記地表開口部と流体をやり取りする上部開口部と、前記換気ダクトと流体をやり取りする下部開口部を内部に有する、支持体；並びに、
前記支持体によって支持される1つ以上のシート及びゲートの組であって、
前記組は、前記下部開口部と前記上部開口部との間に位置するシートと、前記シートを固定するサイズに合わせたシート表面を有し、かつ、前記シートよりも低い位置に枢動可能なようにマウントされることで、前記シートへ向かって上方に回転することで、前記シートを固定しながら、単一のシート及びゲートの組の場合には、該単一のゲートが該ゲートの単一のシートを固定するまで、又は、2組以上のシート及びゲートの組の場合には、最後の組が該最後の組のシートを固定するまで、前記換気ダクトと前記地表開口部との間での空気の換気を維持し、
前記水浮遊性ゲートは、前記支持体内で上昇する水に応答して、前記ゲートが前記シートを固定することで、前記地表開口部から前記下部開口部への水の流路を阻止するまで、枢動回転しながら上方に浮遊する、
シート及びゲートの組；
を有する装置。
【請求項５３】
相当量の表面水が、上方に向かって地表開口部とつながっている地下換気ダクトへ流れ込むのを防止する方法であって：
前記地表開口部と前記換気ダクトとの間に支持体を介装する工程であって、前記地表開口部と流体をやり取りする上部開口部と、前記換気ダクトと流体をやり取りする下部開口部を内部に有する、工程；並びに、
前記支持体によって支持される1つ以上のシート及びゲートの組を供する工程であって、
前記組は、前記下部開口部と前記上部開口部との間に位置するシートと、前記シートを固定するサイズに合わせたシート表面を有し、かつ、前記シートよりも低い位置に枢動可能なようにマウントされることで、前記シートへ向かって上方に回転することで、前記シートを固定しながら、単一のシート及びゲートの組の場合には、該単一のゲートが該ゲートの単一のシートを固定するまで、又は、2組以上のシート及びゲートの組の場合には、最後の組が該最後の組のシートを固定するまで、前記換気ダクトと前記地表開口部との間での空気の換気を維持し、
前記水浮遊性ゲートは、前記支持体内で上昇する水に応答して、前記ゲートが前記シートを固定することで、前記地表開口部から前記下部開口部への水の流路を阻止するまで、枢動回転しながら上方に浮遊する、
工程；
を有する方法。